(57)【要約】【課題】  楽に安全に入浴できる個人用介護浴槽を提供すること。【解決手段】  浴槽（２）と、入浴者乗部（３）とからなる個人用介護槽（４）であって、該入浴者乗部（３）は、浴槽（２）内に進入できる移乗台（１）と、移乗台（１）を昇降可能に支持する昇降駆動部（５）とからなり、前記移乗台（１）は並設される二つの移乗台（１）でなり、一方の移乗台（１）には臀部を乗せることができ、他方の移乗台（１）には下肢を乗せることができ、二つの移乗台（１）（１）の間には、適宜な空間（２６）が設けられ、二つの移乗台（１）（１）は、それぞれ個別に、水平状態から上向きの垂直状態へ回動できる個人用介護浴槽である。【選択図】図１
2007312965.tif 000002
【特許請求の範囲】
【請求項１】
浴槽（２）と、入浴者乗部（３）とからなる個人用介護浴槽（４）であって、該入浴者乗部（３）は、浴槽（２）内に進入できる移乗台（１）と、移乗台（１）を昇降可能に支持する昇降駆動部（５）とからなり、
前記移乗台（１）は並設される二つの移乗台（１）（１）でなり、一方の移乗台（１）には臀部を乗せることができ、他方の移乗台（１）には下肢を乗せることができることを特徴とする個人用介護浴槽。
【請求項２】
浴槽（２）と、入浴者乗部（３）とからなる個人用介護浴槽（４）であって、  前記浴槽（２）は、昇降機（３３）で昇降するものであり、
前記入浴者乗部（３）は、浴槽（２）内に進入できる移乗台（１）と、移乗台（１）を一定高さに支持する支持具（３２）とからなり、
前記移乗台（１）は並設される二つの移乗台（１）（１）でなり、一方の移乗台（１）には臀部を乗せることができ、他方の移乗台（１）には下肢を乗せることができることを特徴とする個人用介護浴槽。
【請求項３】
二つの移乗台（１）（１）の間には、適宜な空間（２６）が設けられることを特徴とする請求項１又は２記載の個人用介護浴槽。
【請求項４】
二つの移乗台（１）（１）は、それぞれ個別に、水平状態から上向きの垂直状態へ回動できることを特徴とする請求項１又は２記載の個人用介護浴槽。
【請求項５】
移乗台（１）にバックレスト（２８）を着脱できることを特徴とする請求項１又は２記載の個人用介護浴槽。
【請求項６】
移乗台（１）にフットレスト（３０）を着脱できることを特徴とする請求項１又は２記載の個人用介護浴槽。
【請求項７】
入浴者乗部（３）が有する水平枠（２０）と浴槽（２）との間に又は移乗台（１）と浴槽（２）との間に、挟み込み物を検知した時個人用介護浴槽（４）の作動を停止させる挟み込み防止機構（４２）が設けられ、
前記挟み込み防止機構（４２）は、水平枠（２０）の下面、及び移乗台（１）の下面に設けられる挟み込み検知スイッチ（４０）であり、
或いは、個人用介護浴槽（４）が入浴作動中に、モータ（１６）又は伸縮部材（３５）に過負荷が掛かった時、モータ（１６）又は伸縮部材（３５）の駆動を停止する過負荷防止スイッチ（４１）であることを特徴とする請求項１又は２記載の個人用介護浴槽。
【発明の詳細な説明】
【技術分野】
【０００１】
本発明は、身体障害者や要介護老人等（以下入浴者という）を入浴させる個人用介護浴槽に関する。
【背景技術】
【０００２】
従来の技術の特許文献１に、シートとリフトが設けられた浴槽が開示されている。
【特許文献１】特許第３５３１８５１号公報
【発明の開示】
【発明が解決しようとする課題】
【０００３】
従来技術に係るシートでは、該シートが長座位用ではないので、入浴者が移乗する時長座位姿勢が取れず、下肢を曲げにくい入浴者には不都合であり、又、シートに足を掛けるフットレストが取り付けられていないのでこれに足を当てることができずフットレストに足を突っ張って体の安定を図ることができず不都合である等の難点がある。
【課題を解決するための手段】
【０００４】
本発明の目的は、楽に安全に入浴できる個人用介護浴槽を提供することにある。
即ち、本発明は、浴槽（２）と、入浴者乗部（３）とからなる個人用介護浴槽（４）であって、該入浴者乗部（３）は、浴槽（２）内に進入できる移乗台（１）と、移乗台（１）を昇降可能に支持する昇降駆動部（５）とからなり、前記移乗台（１）は並設される二つの移乗台（１）（１）でなり、一方の移乗台（１）には臀部を乗せることができ、他方の移乗台（１）には下肢を乗せることができることを特徴とする個人用介護浴槽である。
或いは、前記浴槽（２）は、昇降機（３３）で昇降するものであり、前記入浴者乗部（３）は、浴槽（２）内に進入できる移乗台（１）と、移乗台（１）を一定高さに支持する支持具（３２）とからなる。
又、二つの移乗台（１）（１）の間には、適宜な空間（２６）が設けられる。
更に、二つの移乗台（１）（１）は、それぞれ個別に、水平状態から上向きの垂直状態へ回動できる。
更に又、移乗台（１）にバックレスト（２８）を着脱できる。
又、移乗台（１）にフットレスト（３０）を着脱できる。
更に、入浴者乗部（３）が有する水平枠（２０）と浴槽（２）との間に又は移乗台（１）と浴槽（２）との間に、挟み込み物を検知した時個人用介護浴槽（４）の作動を停止させる挟み込み防止機構（４２）が設けられ、前記挟み込み防止機構（４２）は、水平枠（２０）の下面、及び移乗台（１）の下面に設けられる挟み込み検知スイッチ（４０）であり、或いは、個人用介護浴槽（４）が入浴作動中に、モータ（１６）又は伸縮部材（３５）に過負荷が掛かった時、モータ（１６）又は伸縮部材（３５）の駆動を停止する過負荷防止スイッチ（４１）である。
【発明の効果】
【０００５】
本発明に係る入浴者乗部３は、浴槽２内に進入できる移乗台１と、移乗台１を昇降可能に支持する昇降駆動部５とからなり、前記移乗台１は並設される二つの移乗台１でなり、一方の移乗台１には臀部を乗せることができ、他方の移乗台１には下肢を乗せることができるから、膝が曲がらない（＝拘縮）入浴者、及び、膝が麻痺している入浴者の場合、他方の移乗台１（＝足受け台）に下肢を乗せることができるため、移乗台１へ移乗した入浴者は安全かつ楽であり、好都合である。
【０００６】
又、座る位置を一方の移乗台１から他方の移乗台１へ変えることによって、一つの浴槽２で、下肢の右麻痺の入浴者及び左麻痺の入浴者の両方に対応でき、好都合である。
又、移乗台１が昇降するものでは、昇降に係る構成を簡素に作れ、好都合である。
【０００７】
本発明に係る浴槽２は、昇降機３３で昇降するものであり、入浴者乗部３は、浴槽２内に進入できる移乗台１と、移乗台１を一定高さに支持する支持具３２とからなるから、入浴者が昇降せず、浴槽２が昇降するから、入浴者が昇降に係る恐怖感を起こすこと無く安心して入浴でき、好都合である。
又、入浴時に入浴者は下がらず上限位置に固定されるので、介助者は入浴介助作業が楽であり、好都合である。
【０００８】
本発明は、二つの移乗台１の間に適宜な空間２６が設けられるから、長座位入浴ができる他に、一つの移乗台１に移乗した時、二つの移乗台１間の空間２６に下腿を挿通して、一つの移乗台１に腰掛ける通常位入浴もでき、入浴姿勢に係る汎用性が高く、好都合である。
【０００９】
本発明に係る二つの移乗台１は、それぞれ個別に、水平状態から垂直状態に回動できるから、通常位入浴をする際、他方の移乗台１を跳ね上げて止めておけば、下肢の移動の自由度が増し、好都合である。
又、清掃時、移乗台１を跳ね上げておけば、浴槽２内の清掃が行ない易く、好都合である。
又、健常者が入浴する場合は、移乗台１を跳ね上げておいて、移乗台１を使用せずに更に入浴者乗部３を操作せずに、簡単に入浴でき、好都合である。
【００１０】
本発明は、移乗台１にバックレスト２８を着脱できるから、移乗台１にバックレスト２８を付けた場合には、入浴者は該バックレスト２８に凭れて楽に入浴ができ、好都合である。
【００１１】
本発明は、移乗台１にフットレスト３０を着脱できるから、移乗台１にフットレスト３０を付けた場合には該フットレスト３０に足を掛ければ、前方向にずり落ちることは無く、楽に安全に入浴ができ、又、下肢の不自由な人でも体を安定に保って入浴でき、好都合である。
【００１２】
本発明は、入浴者乗部３が有する水平枠２０と浴槽２との間に又は移乗台１と浴槽２との間に、挟み込み物（＝入浴者の足や手）を検知した時個人用介護浴槽４の作動を停止させる挟み込み防止機構４２が設けられるものであるから、入浴者の部位（＝主に足や手）が、万一、浴槽２と下降する移乗台１との間に挟まれた時、個人用介護浴槽４の作動は停止し、安全が図られ、好都合である。
前記挟み込み防止機構４２を挟み込み検知スイッチ４０としたものでは、僅かな押圧力で該挟み込み検知スイッチ４０が反応し、移乗台１の下降を早期に停止させ、又は、浴槽２の上昇を早期に停止させるから、安全であり、好都合である。
【００１３】
又、前記挟み込み防止機構４２を過負荷防止スイッチ４１としたものでは、挟み込みにより入浴者乗部３の動きに異変が生じた時、又は、挟み込みにより浴槽２の動きに異変が生じた時、どこで挟み込みがあっても挟み込みの位置に関係なく過負荷防止スイッチ４１が作動し、個人用介護浴槽４の作動を早期に停止させるから、安全であり、好都合である。
【発明を実施するための最良の形態】
【００１４】
楽に安全に入浴できる個人用介護浴槽４を、浴槽２と、入浴者乗部３とからなる個人用介護浴槽４であって、該入浴者乗部３は、浴槽２内に進入できる移乗台１と、移乗台１を昇降可能に支持する昇降駆動部５とからなり、前記移乗台１は並設される二つの移乗台１でなり、一方の移乗台１には臀部を乗せることができ、他方の移乗台１には下肢を乗せることができるものとして、実現した。
【実施例１】
【００１５】
図１、２、３、４、５に移乗台１が昇降する実施例１を示しており、図１は平面図、図２は正面図、図３は右側面図、図４は入浴者が乗った移乗台１が上限位置にある正面図、図５は入浴者が乗った移乗台１が下限位置にある正面図を示している。
【００１６】
実施例１は、浴槽２と、入浴者乗部３と、からなる個人用介護浴槽４である。
入浴者乗部３は、浴槽２内に進入できる移乗台１と、移乗台１を昇降可能に支持する昇降駆動部５とからなる。
【００１７】
浴槽２は、平面視長方形の容器であり、底壁６に排水栓７が設けられ、一側壁８内部に給湯口９が設けられ、浴槽２の一方の短辺上縁１０に、入浴者乗部３を操作する昇降スイッチ１１、浴槽２に給水する給水ツマミ１２、及び浴槽２に給湯する給湯ツマミ１３が設けられる。
浴槽２の一方の長辺上縁１４に、固定手摺１５が取着される。
【００１８】
昇降駆動部５は、移乗台１を昇降可能に支持するものであり、具体的な一例ではリフトである。
昇降駆動部５は、モータ１６と、バッテリー１７と、伸縮支柱１８と、アーム１９と、水平枠２０とからなる。
【００１９】
伸縮支柱１８は、浴槽２の一方の長辺上縁１４の延設方向中央に立設され、回動する螺子軸２１と、螺子軸２１に螺合し昇降する雌螺子２２と、雌螺子２２を昇降自在に保持する保持筒２３とからなり、前記螺子軸２１はバッテリー１７を電源として回動するモータ１６に連結されてなる。
【００２０】
図示を省略するが、昇降駆動部５の他の例として、移乗台１をベルトで吊りそのベルトを巻き込み移乗台１を昇降させるベルト巻き上げ方式としてもよい。或いは、昇降駆動部５に係る伸縮支柱１８及びモータ１６を、油圧シリンダー及び油圧ポンプに、又は、水圧シリンダーに代えてもよい。水圧シリンダーを用いた場合は、バッテリー１７が不要である。
【００２１】
アーム１９は逆Ｌ字形状の枠体でなり、アーム１９の基端は雌螺子２２の上部に固定される。アーム１９の先端に、水平枠２０の中央部が取着されると共に、浴槽２内壁に接触し転動するローラー３８が浴槽２内壁に向かって突設される。
水平枠２０には、昇降手摺２４が上向きに突設され、更に、移乗台１が水平向きに突設される。
図２中、３７はサイドフェンスを兼ねた昇降手摺台である。
【００２２】
移乗台１は、水平枠２０に並設される二つの移乗台１（＝一方移乗台１ａ及び他方移乗台１ｂ）でなり、一方移乗台１ａには臀部を乗せた場合、他方移乗台１ｂには下肢を乗せることができる。
二つの移乗台１の基辺に回動部２５が形成され、該回動部２５は水平枠２０に軸支される。
【００２３】
二つの移乗台１は、各個別に、水平位置と起立状の垂直位置との間の約９０度範囲で回動可能である。即ち、二つの移乗台１はいずれも、跳ね上げが可能であり、又、水平位置から垂下状の下方向へは回動しない。
移乗台１には該移乗台１を所定の水平位置及び所定の垂直位置に掛止するためのボールプランジャー（図示省略）が設けられ、水平枠２０には前記ボールプランジャーに対応する水平・垂直位置に凹部（図示省略）が形成される。
【００２４】
二つの移乗台１の対向する各側辺（＝一方側辺１ｃ、他方側辺１ｄ）の間には、下肢を挿通できる適宜な空間２６が設けられる。
【００２５】
移乗台１の上面の、前部の端及び後部の端には複数の穴２７が列状に開設される。
移乗台１に座った入浴者の背を受けるバックレスト２８には前記穴２７に差し込みバックレスト２８を取り付けるバックレストピン２９がバックレスト２８の下面の両端部に下向きに突設される。
【００２６】
又、移乗台１に座った入浴者の足を受け止めるフットレスト３０には前記穴２７に差し込みフットレスト３０を取り付けるフットレストピン３１がフットレスト３０の下面の両端部に下向きに突設される。
バックレストピン２９及びフットレストピン３１には、不用意に穴２７から抜けるのを防止するため各ピン２９、３１の先端に当該ピン部材の直径を拡幅させてなる鉤部（図示省略）が形成される。
【００２７】
入浴者乗部３が有する水平枠２０と浴槽２との間に又は移乗台１と浴槽２との間に、挟み込み物を検知した時個人用介護浴槽４の作動を停止させる挟み込み防止機構４２が設けられる。
前記挟み込み防止機構４２は、水平枠２０の下面、及び移乗台１の下面に設けられる薄板状の挟み込み検知スイッチ４０である。
或いは、個人用介護浴槽４が入浴作動中に、モータ１６に過負荷が掛かった時、モータ１６の駆動を停止する過負荷防止スイッチ４１である。
尚、昇降駆動部５は１個しか設けられておらず、一方移乗台１ａと他方移乗台１ｂが、互いに逆方向に昇降することはなく、逆方向移動による危険な事態が起きることはない。
【００２８】
予め、一方移乗台１ａの選択した穴２７にバックレスト２８のバックレストピン２９を差し込んで、一方移乗台１ａの適宜位置にバックレスト２８を取り付ける。
【００２９】
他方移乗台１ｂの選択した穴２７にフットレスト３０のフットレストピン３１を差し込んで、他方移乗台１ｂの適宜位置にフットレスト３０を取り付ける。
【００３０】
実施例１を使用する際は、脱衣した入浴者が、自力で又は介助者が介助しながら、移乗台１に移乗する。
【００３１】
膝が曲がらない入浴者、及び、膝が麻痺している入浴者の場合、一方移乗台１ａに臀部を乗せ、他方移乗台１ｂを足受け台としてこれに下肢を乗せ、長座位姿勢を取る。入浴者はバックレスト２８に凭れる。フットレスト３０に足を掛け身体の安定を確保する。
【００３２】
或いは、一方移乗台１ａに臀部を乗せ、一方・他方移乗台１ａ・１ｂ間の空間２６に下腿を挿通して垂らし一方移乗台１ａに腰掛け、通常位姿勢を取る。
他方移乗台１ｂはその遊端側部分を持って跳ね上げて、垂直状態で前記ボールプランジャーにより掛止しておく。
【００３３】
次に、移乗台１を下降させ浴槽２に進入させ、移乗台１を底壁６へ接近させる。移乗台１及び入浴者を浴槽２内に溜めた湯に浸け、入浴する。長座位入浴又は通常位入浴を行なう。
介助者は、浴槽２の縁の外側から入浴者の介助を行なう。
【００３４】
挟み込み防止機構４２は、水平枠２０と浴槽２との間の挟み込み物を検知し、更に、移乗台１と浴槽２との間の挟み込み物を検知する。
挟み込み検知スイッチ４０は、水平枠２０の下面と浴槽２との挟み込み物を押圧することによって反応し、又、移乗台１の下面と浴槽２との挟み込み物を押圧することによって反応し、挟み込み物を検知する。
挟み込み検知スイッチ４０は、挟み込み物を検知した時、モータ１６の駆動を停止させ、伸縮支柱１８の縮小動を停止し、移乗台１の下降を停止させる。
【００３５】
又、個人用介護浴槽４が入浴作動中に、移乗台１と浴槽２の間に挟み込み物が有ると、移乗台１の下降に異常が生じ、モータ１６に過負荷が掛かる。この時過負荷防止スイッチ４１は、流入電流の増加分に反応せて作動し、モータ１６の駆動を停止させ、個人用介護浴槽４の作動を停止させる。
尚、水平枠２０と浴槽２との間の挟み込み物が有った時、挟み込み検知スイッチ４０と過負荷防止スイッチ４１の内どちらが先に作動してもよい。
【００３６】
退浴する時は、移乗台１を上昇させ、移乗台１及び入浴者を浴槽２内の湯から退出させる。
次に、入浴者は移乗台１から降り、浴槽２外へ至り、入浴を終わる。
浴槽２の使用を全て終了する時は、該浴槽２の湯を排水栓７から排出する。
【００３７】
バックレスト２８を使用しない時は、バックレストピン２９を穴２７から抜きバックレスト２８を移乗台１から外す。フットレスト３０を使用しない時は、フットレストピン３１を穴２７から抜きフットレスト３０を移乗台１から外す。
【実施例２】
【００３８】
図６に示す実施例２は、実施例１の昇降駆動部５を支持具３２に代え、実施例１に、浴槽２を昇降させる昇降機３３を付加設置したものである。
実施例２の支持具３２は、固定状のものであり、移乗台１を一定の高さに支持する。支持具３２は、基フレーム４０に立設される固定支柱３９と、アーム１９と、水平枠２０とからなる。
浴槽２は、該浴槽２の下に設けた昇降機３３により昇降する。昇降機３３はＸフレーム３４と、伸縮部材３５とでなり、伸縮部材３５の伸縮により昇降機３３は昇降する。
【００３９】
挟み込み防止機構４２は、挟み込み検知スイッチ４０であり、或いは、個人用介護浴槽４が入浴作動中に、伸縮部材３５に過負荷が掛かった時、伸縮部材３５の伸長動を停止する過負荷防止スイッチ４１である。
【００４０】
入浴時は、伸縮部材３５を伸長し浴槽２を上昇させ、移乗台１を浴槽２内に進入させ、入浴者を浴槽２内の湯に浸け入浴させる。
退浴時は、伸縮部材３５を縮小し浴槽２を下降させ、入浴者を浴槽２内の湯から出す。入浴者は移乗台１から降り入浴を終わる。
【００４１】
挟み込み検知スイッチ４０は、移乗台１の下面と浴槽２との間の挟み込み物を検知して、伸縮部材３５の伸長動を停止させせる。
個人用介護浴槽４が入浴作動中に、移乗台１と浴槽２との間に挟み込み物を挟んで、浴槽２の上昇に異変が生じ、伸縮部材３５に過負荷が掛かった時、過負荷防止スイッチ４１は伸縮部材３５へ流入する電流の増加分に反応し、伸縮部材３５の伸長動を停止させる。
図６中、３６はカバーである。
【実施例３】
【００４２】
図７に示す実施例３は、実施例２の固定支柱３９を伸縮支柱１８に代えたものである。
実施例３の伸縮支柱１８は基フレーム４０に立設され、移乗台１は伸縮支柱１８により昇降し、浴槽２は、浴槽２の下に設けた昇降機３３により昇降する。
入浴する時は、移乗台１を下降させて行なう。或いは、浴槽２を上昇させて入浴してもよい。更に又、移乗台１を下降すると共に、浴槽２を上昇させてもよい。即ち、移乗台１と浴槽２の両者を互いに接近方向に動かして、入浴者及び移乗台１を浴槽２内に進入させ、入浴する。
【００４３】
移乗台１を下降させると共に浴槽２も上昇させた場合には、移乗台１の移動距離は、実施例１の移乗台１に比較して短く、又、浴槽２の移動距離は、実施例２の浴槽２に比較して短いものとなり、入浴時の昇降及び退浴時の昇降に係る操作時間を短くできる。
【産業上の利用可能性】
【００４４】
楽に安全に入浴できる個人用介護浴槽４を、浴槽２と、入浴者乗部３とから構成し、該入浴者乗部３は、浴槽２内に進入できる移乗台１と、移乗台１を昇降可能に支持する昇降駆動部５とからなり、前記移乗台１は並設される二つの移乗台１でなり、一方移乗台１ａには臀部を乗せることができ、他方移乗台１ｂには下肢を乗せることができるものとして、適用できる。
【図面の簡単な説明】
【００４５】
【図１】本発明実施例１の平面図である。
【図２】本発明実施例１の正面図である。
【図３】本発明実施例１の右側面図である。
【図４】本発明実施例１と入浴者を示す正面図である。
【図５】本発明実施例１と入浴状態の入浴者を示す正面図である。
【図６】本発明実施例２の正面図である。
【図７】本発明実施例３の正面図である。
【符号の説明】
【００４６】
１  移乗台
２  浴槽
３  入浴者乗部
５  昇降駆動部
１６  モータ
２０  水平枠
２６  空間
２８  バックレスト
３０  フットレスト
３２  支持具
３３  昇降機
３５  伸縮部材
４０  挟み込み検知スイッチ
４１  過負荷防止スイッチ
４２  挟み込み防止機構
【図１】
2007312965.tif 000003
【図２】
2007312965.tif 000004
【図３】
2007312965.tif 000005
【図４】
2007312965.tif 000006
【図５】
2007312965.tif 000007
【図６】
2007312965.tif 000008
【図７】
2007312965.tif 000009